(57)【特許請求の範囲】
【請求項１】
帯状シートを複数条に分割しながら、その分割シートを二つの巻軸へ振り分けて巻取るシート分割巻取装置において、前記巻軸上の分割シートの巻取ロールに接触する、微変速駆動可能な共通タッチローラと、前記共通タッチローラの下流で分割シート幅方向に並ぶ複数の個別タッチローラと、前記共通のタッチローラを支持する一対の支持腕と、前記共通タッチローラに接近した位置に前記一対の支持腕で支持した梁部材と、前記梁部材に該梁部材長手方向に位置決め可能に装着した複数のスライド体と、前記スライド体に個々に揺動可能に装着され、前記個別タッチローラを前記巻取ロールへ重力により押し付け可能に支持する揺動腕とを備えることを特徴とするシート分割巻取装置。
【請求項２】
前記揺動腕は、その下側の縁から上向きに設けた凹みをもち、前記凹みの周りの部分を、前記スライド体の外周に設けた環状の溝に嵌めて前記溝の底部に被せることにより、前記スライド体に揺動可能に装着する請求項１記載のシート分割巻取装置。
【発明の詳細な説明】
【０００１】
【発明の属する技術分野】
本発明は、プラスチックフィルム等の帯状シートを複数条に分割しながら、その分割シートを二つの巻軸へ振り分けて巻取るシート分割巻取装置に関する。本発明のシート分割巻取装置は、特に、帯状シートの繰り出しローラに対して微変速駆動可能なタッチローラを備え、このタッチローラにより、巻軸へ供給される分割シート張力を巻取直前で調節することができる形式のものである。
【０００２】
【従来の技術】
従来、上記形式のシート分割巻取装置には、例えば特公昭６１−２１８９９号公報に開示されているように、上下の各巻軸毎に、巻取領域全幅にわたる共通タッチローラを備えたものがある。また、例えば特開昭６１−５５０４７号公報に開示されているように、各分割シート毎に細分化したタッチローラを備えるものもある。
【発明が解決しようとする課題】
【０００３】
一般に、プラスチックフィルム等の帯状シートには偏肉即ち厚みむらがあり、同一巻軸上に同時に巻取った分割シートの巻取ロールであっても偏肉に起因して各々の外径に差が生じる。共通タッチローラを備えたシート分割巻取装置では、帯状シートの偏肉が大きいと、同時に巻取った巻取ロールのうちの外径の小さなものは、共通タッチローラとの接触圧が低下して巻ズレが生じ易い。そこで、偏肉が大きい帯状シートを巻取る場合には、細分化したタッチローラを備えるシート分割巻取装置を用いる。
【０００４】
ところが最近では偏肉の大きい帯状シートを狭い幅で多数条に分割することが要求される。しかし細分化したタッチローラを備えるシート分割巻取装置では、タッチローラをシート幅方向に一列状に並べ、その両端部をそれぞれ揺動腕で支持するので、各分割シートの幅が狭いと、隣合うタッチローラの間に背中合わせに配置した揺動腕が互いに干渉する。そこで、この干渉を避けるには揺動腕の幅を極力狭くしなければならない。しかし、このシート分割巻取装置では、各タッチローラの揺動腕に、タッチローラに駆動力を伝達するための伝動装置、及びタッチローラを押し付け付勢するための接圧装置がそれぞれ装着してあるので、揺動腕部分の構造が複雑になると共に、隣り合うタッチローラの間に配置した揺動腕の相互間隔が広くなる。そのため、帯状シートを狭い幅で多数条に分割することが必要な場合、各分割シートに対応するよう細分化したタッチローラを設けることができず、上述の要求に応えられないという問題を生じる。
【０００５】
【課題を解決するための手段】
本発明は、巻軸上の分割シートの巻取ロールに接触する、微変速駆動可能な共通タッチローラと、前記共通タッチローラの下流で分割シート幅方向に並ぶ複数の個別タッチローラと、前記共通のタッチローラを支持する一対の支持腕と、前記共通タッチローラに接近した位置に前記一対の支持腕で支持した梁部材と、前記梁部材に該梁部材長手方向に位置決め可能に装着した複数のスライド体と、前記スライド体に揺動可能に装着され、前記個別タッチローラを前記巻取ロールへ重力により押し付け可能に支持する揺動腕とを備えることを特徴とする。本発明では、個別タッチローラは重力により巻軸上の巻取ロールへ押し付け付勢されるので、それを押し付け付勢するための駆動装置を、揺動腕とスライド体との間に設ける必要がなく、個別タッチローラを支持する手段の構成が簡素になり、共通タッチローラの下流に幅の狭い多数の個別タッチローラを設けることができるようになる。そして巻取中、各巻取ロールは共通タッチローラだけでなく、個別タッチローラにも個々に接触するので、帯状シートの偏肉により、巻軸上に同時に巻取った分割シートの巻取ロール外径に差が生じ、共通タッチローラと巻取ロールとの接触圧が低下しても又は接触圧が無くなっても、その接触圧を個別タッチローラにより補うことができ、それによって巻ズレを防ぐことができる。また梁部材を共通タッチローラに接近した位置に、その共通タッチローラを支持する一対の支持腕で支持することにより、多数の個別タッチローラを設けても、それらを共通タッチローラと一緒に、巻軸に対し接近離反させることができる。
【０００６】
【発明の実施の態様】
本発明のシート分割巻取装置は、帯状シートを複数条に分割しながら、その分割シートを二つの巻軸へ振り分けて巻取る。そして前記巻軸上の分割シートの巻取ロールに接触する、微変速駆動可能な共通タッチローラと、前記共通タッチローラの下流で分割シート幅方向に並ぶ複数の個別タッチローラと、前記共通のタッチローラを支持する一対の支持腕と、前記共通タッチローラに接近した位置に前記一対の支持腕で支持した梁部材と、前記梁部材に該梁部材長手方向に位置決め可能に装着した複数のスライド体と、前記スライド体に揺動可能に装着され、前記個別タッチローラを前記巻取ロールへ重力により押し付け可能に支持する揺動腕とを備える。また、前記揺動腕は、その下側の縁から上向きに設けた凹みをもち、前記凹みの周りの部分を、前記スライド体の外周に設けた環状の溝に嵌めて前記溝の底部に被せることにより、前記スライド体に揺動可能に装着するものであるのが望ましい。
【０００７】
【実施例】
実施例について図面を参照して説明すると、図１において、シート分割巻取装置は、幅の広い帯状シートＳ０を、図示しない原反ロールから繰り出し、公知のスリッター１で複数条に分割しながら、その分割シートＳを、上下に配置した二つの巻軸２へ互い違いに振り分けて、巻軸２の外周に装着した個々の巻芯Ｃのまわりに巻取り、巻取ロールＲを形成する。このシート分割巻取装置には、各巻軸２毎に、巻取中に巻取ロールＲに接触させるための共通タッチローラ３と個別タッチローラ４とが備えてある。共通タッチローラ３は支持腕５で支持してあり、支持腕５は揺動中心軸６を中心に揺動可能である。また共通タッチローラ３を巻軸に対して接近離反させるために、支持腕５には、流体圧シリンダからなる公知の揺動駆動装置７が連結してある。この揺動駆動装置７は、その駆動力を調節可能にしてあり、シート巻取中に共通タッチローラ３と巻取ロールＲとの接触圧を調節することができる。巻軸２へ振り分けた分割シートＳは、それぞれ支持腕５の揺動中心軸６と同心に設けた案内ローラ８、支持腕５上の案内ローラ９、及び共通タッチローラ３を経て巻取ロールＲに至る。
【０００８】
図２に示すように、共通タッチローラ３の近くには梁部材１０が支持腕５により支持してある。個別タッチローラ４は揺動腕１１で保持し、揺動腕１１は、梁部材１０で貫通して支持した円筒状のスライド体１２に、梁部材１０の中心軸線を中心に揺動可能に装着してある。上下方向の占有空間を極力小さくするために揺動中心軸６が巻軸２の前方に設けてあるので、支持腕５は、巻始め時には図示のように倒れた状態で共通タッチローラ３を巻軸２上の巻芯Ｃの上側外周面に押し付け、巻取りが進むにつれ、共通タッチローラ３を巻取ロールＲに接触させた状態で起き上がり、巻取ロール完成時には図１に示すように共通タッチローラ３を上方へ移動させることができる。
【０００９】
揺動腕１１は、図２に示すようにスライド体１２から後方の個別タッチローラ４へ伸びており、揺動腕１１の揺動中心と、個別タッチローラ４及び揺動腕１１の重心とは水平方向に隔たっている。それゆえ揺動腕１１には、それと個別タッチローラ４に働く重力により梁部材１０を中心とする回転力が生じる。この実施例では回転力の方向は反時計方向である。そして、図１に示すように巻取ロールＲが完成するまで、揺動腕１１の揺動中心と個別タッチローラ４及び揺動腕１１の重心とは水平方向に隔たった状態を維持できるようになっている。また揺動腕１１は、その揺動中心と巻軸２の中心と個別タッチローラ４の中心が一直線上に並ばないような長さを有している。そのため、揺動腕１１で支持した個別タッチローラ４は、巻取中常に重力による巻軸２への押し付け力を受ける。
【００１０】
図３に示すように、巻軸２は一対の機枠１３の間に回転可能に支持してあり、図示しない巻取駆動装置で回転駆動することができ、複数の分割シートＳを一斉に巻取って各々の巻取ロールＲを形成することができる。
【００１１】
支持腕５は、共通タッチローラ３の両側に一対になるように設けてあり、軸受１４を介して共通タッチローラ３を、軸受１５を介して案内ローラ８を、更に軸受１６を介して案内ローラ９をそれぞれ回転可能に支持する。揺動中心軸６はそれぞれ一対の支持腕５に固着してあり、機枠１３に軸受１７を介して取り付けてある。
【００１２】
案内ローラ８の一方の中心軸８ａは、揺動中心軸６を貫通して機枠１３の外側に突出しており、その先端部に伝動装置１８を備える。そして案内ローラ８は、巻取中に伝動装置１８を介して、図示しないシート繰り出し駆動装置の回転駆動力を伝達することにより回転駆動される。この案内ローラ８のもう一方の中心軸８ｂの先端には共通タッチローラ３に回転を伝達するためのコーンプーリ１９が設けてある。共通タッチローラ３の中心軸３ｂには、逆向きのコーンプーリ２０が設けてあり、コーンプーリ１９とコーンプーリ２０にはベルト２１が掛けてある。このベルト２１は、その幅方向にリテーナ２２の位置を変えることにより、巻掛け位置を変えることができ、それによって、コーンプーリ１９の回転をコーンプーリ２０に微変速して伝達することができる。したがって、共通タッチローラ３は分割シートＳを送る案内ローラ８に対して微変速駆動可能である。
【００１３】
個別タッチローラ４は、共通タッチローラ３の下流に分割シートＳの幅方向に並び、揺動腕１１は、各個別タッチローラ４の両側に配置してあり、スライド体１２は各揺動腕１１毎に設けてある。また梁部材１０はその両端部を一対の支持腕５に装着してある。
【００１４】
図４はスライド体の正面断面図、図５は揺動腕の側面図、図６は揺動腕の底面図、図７は揺動腕をスライド体に装着した状態を示す側面図である。スライド体１２は、その外周に環状の溝２３を有する。溝２３の底部２３ａは円柱面になるよう形成してあり、溝２３の幅は揺動腕１１の厚みに適合する幅にしてある。またスライド体１２は、梁部材１０の外周にスライド可能に嵌め合わせてあり、梁部材１０上に所要位置で固定するためのボルト２４を有し、このボルト２４の先端部を、梁部材１０に長手方向に形成した溝１０ａに入れてある。また、揺動腕１１には、それをスライド体１２に揺動可能に装着するための、溝の底部２３ａに適合するＵ字形の凹み２５が、その下縁から上向きに形成してある。また、個別タッチローラ４は、それを回転可能に支持する中心軸４ａをもち、この中心軸４ａの両端を揺動腕１１の先端部に形成した孔に通し、揺動腕１１を突き抜けた端部に、Ｃ形止め輪４ｂを取り付けることにより、揺動腕１１から抜け落ちないようにしてある。
【００１５】
個別タッチローラ４を装着するには、スライド体１２を、その溝２５が揺動腕１１に対応するように梁部材１０上に位置決めした後、図７に示すように揺動腕１１の凹み２５の周りの部分１１ａをスライド体１２の溝２３に嵌めて溝の底部２３ａに被せる。そうすると揺動腕１１は溝の底部２３ａに引っかけた状態となり、スライド体１２により揺動可能に保持される。個別タッチローラ４を取り外すには、揺動腕１１を矢印Ａの方向へ持ち上げる。
【００１６】
この実施例のシート分割巻取装置により偏肉の大きい帯状シートを分割して巻取るときは、図３に示すように個別タッチローラ４を保持した一対の揺動腕１１を、梁部材１０上の所要位置に位置決めしたスライド体１２に装着することにより、個別タッチローラ３を各分割シートＳに対応するように梁部材１０上に準備しておく。また巻芯Ｃを巻軸２の外周に分割シートＳに対応するよう装着し、分割シートＳの先端を巻芯Ｃの外周に止める。その後、揺動駆動装置７を作動させて図２に示すように共通タッチローラ３を巻芯Ｃに押し付ける。共通タッチローラ３を巻芯Ｃに押し付けると個別タッチローラ４も巻芯Ｃの外周に載り、重力により押し付け付勢される。その後、図示しない繰り出し装置を作動させて帯状シートＳ０を繰り出すと共に、図示しない巻取駆動装置を作動させて巻軸２を回転駆動する。巻取中、巻取条件に応じて共通タッチローラ３を案内ローラ８に対し適度に微変速して駆動することにより、巻取直前の各分割シートＳに適当な張力を付与する。この実施例のシート分割巻取装置により、偏肉の小さい帯状シートを分割して巻取るときは、個別タッチローラ４を梁部材１０から揺動腕１１と一緒に取り外しておくことができる。
【００１７】
本発明によれば、必要に応じて個別タッチローラの押し付け力を変えるために公知の装着手段を用いて揺動腕に重錘を着脱できるようにしてもよい。また共通タッチローラを支持する支持腕は、上述のものに限らず、その揺動中心を例えば上端部にもち、その下端部に個別タッチローラを支持するものでもよい。また個別タッチローラは、その中心軸が胴部に固定してあり、支持腕に設けた軸受で中心軸を回転可能に支持するものでもよい。
【００１８】
【発明の効果】
請求項１記載の発明によれば、短い多数の個別タッチローラを設けることができ、共通タッチローラと巻取ロールとの接触圧が小さくなっても、個別タッチローラで巻取ロールに接触圧を加えることにより、巻取ロールの巻ズレを防ぐことができる。また多数の個別タッチローラを巻軸に対して共通タッチローラと一緒に接近離反させることができるので、巻取準備作業が簡単になる。したがって、偏肉の大きい帯状シートであっても、それを一度に多数の幅の狭いシートに分割して品質良く巻取ることができ、しかも操作性の良いシート分割巻取装置を提供できる。
【００１９】
請求項２記載の発明によれば、個別タッチローラを容易に装着したり、取り外したりすることができ、その装着構造が簡素になる。そして個別タッチローラを使用しないときは、揺動腕も、巻取準備作業等の邪魔にならないよう個別タッチローラと一緒に簡単に取り外すことができるので都合がよい。
【図面の簡単な説明】
【図１】本発明の一実施例に係るシート分割巻取装置の概略側面図である。
【図２】図１に示すシート分割巻取装置の片方の巻取部の側面図である。
【図３】図１に示すシート分割巻取装置の概略平面図である。
【図４】スライド体の正面断面図である。
【図５】揺動腕の側面図である。
【図６】揺動腕の下面図である。
【図７】揺動腕をスライド体に装着した状態を示す側面図である。
【符号の説明】
Ｓ０  帯状シート
Ｓ  分割シート
Ｃ  巻芯
Ｒ  巻取ロール
１  スリッター
２  巻軸
３  共通タッチローラ
４  個別タッチローラ
５  支持腕
１０  梁部材
１１  揺動腕
１２  スライド体
２３  溝
２５  凹み
【図１】
0003777724.tif 000002
【図２】
0003777724.tif 000003
【図３】
0003777724.tif 000004
【図４】
0003777724.tif 000005
【図５】
0003777724.tif 000006
【図６】
0003777724.tif 000007
【図７】
0003777724.tif 000008